(57)【要約】【課題】  ＨＤＤが他の画像形成装置に接続された時にＨＤＤのデータへのアクセスができないようにする。【解決手段】  上位装置であるパソコン１とネットワーク接続され、データを蓄積するためのＨＤＤ１４を有する画像形成装置２において、使用されているＨＤＤ１４が他の機種で使用されたことがあるかを検知するＨＤＤ機種検知手段１６を備え、また、使用されているＨＤＤ１４が他の機種で使用されたＨＤＤの場合は、ＨＤＤ１４のデータを消去しデータの初期化を行うＨＤＤ初期化手段１５を備えた。【選択図】  図２
2005169862.tif 000002
【特許請求の範囲】
【請求項１】
上位装置であるパソコンとネットワーク接続され、データを蓄積するためのＨＤＤを有する画像形成装置において、使用されているＨＤＤが他の機種で使用されたことがあるかを検知するＨＤＤ機種検知手段を備えたことを特徴とする画像形成装置。
【請求項２】
請求項１記載の画像形成装置において、使用されているＨＤＤが他の機種で使用されたＨＤＤの場合は、ＨＤＤのデータを消去しデータの初期化を行うＨＤＤ初期化手段を備えたことを特徴とする画像形成装置。
【請求項３】
請求項１記載の画像形成装置において、ＨＤＤに設定されたパスワードと入力されたパスワードを比較し、入力されたパスワードが正しいか検知するＨＤＤパスワード検知手段を備え、使用されているＨＤＤが他の機種で使用されたことがある場合においても事前に登録されたパスワードの入力によって初期化やデータの消去を行わず、そのまま利用することを可能としたことを特徴とする画像形成装置。
【請求項４】
上位装置であるパソコンとネットワーク接続され、データを蓄積するためのＨＤＤを有する画像形成装置において、電源オフ時にＨＤＤのデータを消去するＨＤＤ装置を備えたことを特徴とする画像形成装置。
【発明の詳細な説明】
【技術分野】
【０００１】
本発明は、上位装置であるパソコンとネットワーク接続され、データを蓄積するためのＨＤＤを有する画像形成装置（プリンタ、プリンタ機能を有する多機能複写機）に関する。
【背景技術】
【０００２】
パソコンと画像形成装置がネットワーで接続された画像形成システムに関連して、特許文献１〜３等に記載された技術が提案されている。
【特許文献１】特開２００３−１６７６８１公報
【特許文献２】特開２０００−１９６８７２公報
【特許文献３】特開２００２−２６４４０９公報
【発明の開示】
【発明が解決しようとする課題】
【０００３】
近年の画像形成装置では、使用するメモリの大容量化に伴い、ＨＤＤといったメモリを用いてデータを蓄積し、データを処理するシステムが増えてきた。しかし、ＨＤＤなどのメモリ装置は不揮発性であるため電源ＯＦＦ時においてもそのデータを保持している。このためＨＤＤを他の画像形成装置やパソコンに接続することによってＨＤＤ内部のデータが漏洩することが考えられる。
そこで本発明は、ＨＤＤが他の画像形成装置に接続された時にＨＤＤのデータへのアクセスができないようにすることを目的とする。
【課題を解決するための手段】
【０００４】
上記目的を達成するために、請求項１記載の発明は、上位装置であるパソコンとネットワーク接続され、データを蓄積するためのＨＤＤを有する画像形成装置において、使用されているＨＤＤが他の機種で使用されたことがあるかを検知するＨＤＤ機種検知手段を備えた画像形成装置を最も主要な特徴とする。
請求項２記載の発明は、請求項１記載の画像形成装置において、使用されているＨＤＤが他の機種で使用されたＨＤＤの場合は、ＨＤＤのデータを消去しデータの初期化を行うＨＤＤ初期化手段を備えた画像形成装置を主要な特徴とする。
請求項３記載の発明は、請求項１記載の画像形成装置において、ＨＤＤに設定されたパスワードと入力されたパスワードを比較し、入力されたパスワードが正しいか検知するＨＤＤパスワード検知手段を備え、使用されているＨＤＤが他の機種で使用されたことがある場合においても事前に登録されたパスワードの入力によって初期化やデータの消去を行わず、そのまま利用することを可能とした画像形成装置を主要な特徴とする。
請求項４記載の発明は、上位装置であるパソコンとネットワーク接続され、データを蓄積するためのＨＤＤを有する画像形成装置において、電源オフ時にＨＤＤのデータを消去するＨＤＤ装置を備えた画像形成装置を最も主要な特徴とする。
【発明の効果】
【０００５】
本発明によれば、他の機種で使用されたＨＤＤが使用された場合、その使用を検知することができ、情報の漏洩を防ぐためにデータの消去を行うのでデータの漏洩を防ぐことができる。また、他の機種で使用されたＨＤＤでもパスワードの入力によってそのまま使用することができるので、画像形成装置が壊れた時でも代替の画像形成装置に使用することができる。また、電源オフ時にＨＤＤのデータを消去するのでデータの漏洩を防ぐことができる。
【発明を実施するための最良の形態】
【０００６】
以下、図面を参照して、本発明の実施形態を詳細に説明する。
図１は画像形成システムの概要図である。上位装置であるパソコンと、パソコンで作成された印刷データを解読して用紙に出力する画像形成装置２がネットワーク３で接続されている。
図２は本発明の実施形態に係る画像形成装置の機能ブロック図、図３は図２に示すＨＤＤ装置の詳細構成図である。画像形成装置２は、ネットワーク３を介して印刷データ若しくは制御データを送受信あるいは一時的なデータ格納が可能なデータ送受信手段１１、ＣＰＵ（マイクロプロセッサ）１２、パソコンからネットワーク３を介して送信された印刷データの画像イメージデータを形成したり、ＣＰＵ１２がデータを処理する際に一時的にデータを格納したり、画像形成装置２の設定情報が格納されているメモリ１３を備える。
また画像形成装置２は、メモリ１３に形成された画像イメージデータを格納したり、必要に応じて格納データの読み出しが可能なＨＤＤ装置１４、ＨＤＤ装置１４のデータを消去し、初期化を行うＨＤＤ初期化手段１５、ＨＤＤ装置１４が他の機種で使用されたかどうかを検知するＨＤＤ機種検知手段１６、ＨＤＤ装置１４に設定されたパスワードとを比較し、入力されたパスワードが正しいかどうか検知するＨＤＤパスワード検知手段１７を備える。
また画像形成装置２は、メモリ１３により形成された画像イメージデータ若しくは、ＨＤＤ装置１４に一時的に格納されている画像イメージデータを読み出して、用紙に印字させる画像形成手段１８、ユーザがパスワードを入力する操作パネルやキーボードといったデータ入力手段１９、画像形成装置の機種情報を保管する機種情報保管手段２０を備える。
図３において、ＨＤＤ装置１４は、形成されたイメージデータを保管するデータ保管領域３１、ＨＤＤパスワード検知手段１７で検知されるパスワードを保管するパスワード保管領域３２、ＨＤＤ機種検知手段１６で検知される機種のデータを保管する機種データ保管領域３３を備える。
【０００７】
図４は本発明の画像形成装置における第１の実施例の動作フローチャートである。図４に示すフローチャートでは、電源ＯＮ時に（Ｓ１）、他の機種で使用されたＨＤＤ装置１４かどうかを、機種情報保管手段２０のデータと機種データ保管領域３３のデータに基きＨＤＤ機種検知手段１６により検知し（Ｓ２）、他の機種で使用されたものならＨＤＤ初期化手段１５によりデータを消去し、初期化を行う（Ｓ３）。この初期化の後あるいはステップ２にて他の機種での不使用の場合使用可能となる（Ｓ４）。
図５（１）、（２）は本発明の画像形成装置における第２〜第３の実施例の動作フローチャートである。図５（１）に示すフローチャートでは、他の機種で使用されたものでも機種情報保管手段２０により入力されたパスワードとパスワード保管領域３２のパスワードがＨＤＤパスワード検知手段１７により正しいと検知されれば、初期化を行わずそのまま使用可能にする処理が加わる。すなわち、電源ＯＮ時に（Ｓ１１）、他の機種で使用されたＨＤＤ装置１４かどうかを、機種情報保管手段２０のデータと機種データ保管領域３３のデータに基きＨＤＤ機種検知手段１６により検知し（Ｓ１２）、他の機種で使用されたとき機種情報保管手段２０により入力されたパスワードとパスワード保管領域３２のパスワードがＨＤＤパスワード検知手段１７により正しいか否か検知し（Ｓ１３）、パスワードが正しくないときＨＤＤ初期化手段１５によりデータを消去し、初期化を行う（Ｓ１４）。この初期化の後あるいはステップ２にて他の機種での不使用の場合あるいはパスワードが正しいとき使用可能となる（Ｓ１５）。
図５（２）に示すフローチャートでは、電源ＯＦＦ時に（Ｓ２１）、ＨＤＤ装置１４のデータを消去する（Ｓ２２）。
【図面の簡単な説明】
【０００８】
【図１】画像形成システムの概要図である。
【図２】本発明の実施形態に係る画像形成装置の機能ブロック図である。
【図３】図２に示すＨＤＤ装置の詳細構成図である。
【図４】本発明の画像形成装置における第１の実施例の動作フローチャートである。
【図５】本発明の画像形成装置における第２〜第３の実施例の動作フローチャートである。
【符号の説明】
【０００９】
１  パソコン
２  画像形成装置
３  ネットワーク
１４  ＨＤＤ装置（ＨＤＤ）
１５  ＨＤＤ初期化手段
１６  ＨＤＤ機種検知手段
１７  ＨＤＤパスワード検知手段
【図１】
2005169862.tif 000003
【図２】
2005169862.tif 000004
【図３】
2005169862.tif 000005
【図４】
2005169862.tif 000006
【図５】
2005169862.tif 000007